(57)【要約】【課題】利用者が、スピーカのレイアウト変更を、従来と比較してより容易に行うことのできる技術を提供する。【解決手段】スピーカ装置１０，１０，…が給電レール上に設置され、スピーカ装置１０，１０，…の電源が投入されると、スピーカ装置１０は、自装置のＩＰアドレスを、電力線１を介して管理装置２０へ送信する。管理装置２０の制御部は、電力線１を介して受信されるＩＰアドレスに応じて、稼動しているスピーカ装置１０を検出する。次いで、制御部は、稼動中のスピーカ装置１０を示す画像を表示部に表示する。利用者によってスピーカ装置１０の位置と聴取位置とが登録されると、管理装置２０の制御部は、登録されたスピーカ装置１０の位置と聴取位置とに基づいて、音場を算出し、スピーカ装置１０のそれぞれに供給するオーディオ信号のチャネル種別を特定する。【選択図】図１
2008236061.tif 000002
【特許請求の範囲】
【請求項１】
スピーカと、前記スピーカが設けられる本体と、電力を供給する給電レールに前記本体を移動可能に取り付ける取付部材と、識別情報を記憶する識別情報記憶手段と、前記給電レール上に送信された信号の中から前記識別情報記憶手段内の識別情報と一致する信号を有する信号を抽出して受信する受信手段と、前記給電レールに設けられた位置情報を読み取る位置情報読取手段と、前記位置情報読取手段が読み取った位置情報を前記スピーカを識別する情報とともにスピーカ位置情報として前記給電レール上に送信する送信手段と、前記受信手段が受信した信号が前記スピーカに供給すべき信号であった場合に、当該信号を前記スピーカに供給するスピーカ駆動手段とを有するスピーカ装置と、
前記送信手段が送信したスピーカ位置情報を前記給電レールを介して受信する位置情報受信手段と、
給電レールの配置位置を示す給電レール配置情報を記憶した配置情報記憶手段と、
前記配置情報記憶手段内の給電レール配置情報と前記位置情報受信手段が受信したスピーカ位置情報に基づいて前記給電レールの配置状態を示す配置図および前記配置図中に示される前記スピーカの位置を示す表示情報を生成する表示情報生成手段と、
前記表示情報生成手段が生成した表示情報を表示する表示手段と
を具備することを特徴とするスピーカ管理システム。
【請求項２】
スピーカへの供給対象となる複数の信号から、前記給電レール配置情報と前記スピーカ位置情報とに基づいて特定の信号を選択し、選択した信号を前記識別情報とともに前記給電レール上に送信するスピーカ駆動信号送信手段を具備することを特徴とする請求項１記載のスピーカ管理システム。
【請求項３】
前記給電レールに取り付けられている前記スピーカ装置の数と位置を認識し、認識結果に応じて供給対象となる複数の信号から前記各スピーカに供給すべき信号を選択し、選択した信号を前記各スピーカの識別情報とともに前記給電レール上に送信するスピーカ駆動信号送信手段を具備することを特徴とする請求項１記載のスピーカ管理システム。
【請求項４】
前記取付部材は、前記給電レールを走行可能な走行手段を有し、
前記取付部材の走行位置を指示するための走行位置情報を、前記給電レールを介して送信する走行位置情報送信手段を備え、
前記走行手段は、前記走行位置情報送信手段によって送信された走行位置情報を受信し、受信した走行位置情報に応じて前記給電レール上を走行する
ことを特徴とする請求項１乃至３のいずれかに記載のスピーカ管理システム。
【請求項５】
前記スピーカ装置の数と位置を示すテンプレート情報を複数記憶するテンプレート情報記憶手段を備え、
前記走行位置情報送信手段は、前記テンプレート情報記憶手段に記憶されたテンプレート情報からいずれかを選択し、選択したテンプレート情報に応じた走行位置情報を送信する
ことを特徴とする請求項４に記載のスピーカ管理システム。
【請求項６】
前記スピーカを識別する情報として前記識別情報を用いることを特徴とする請求項１乃至５のいずれかに記載のスピーカ管理システム。
【請求項７】
前記送信手段は、前記位置情報読取手段が読み取った位置情報とスピーカの角度を示す角度情報とを前記スピーカを識別する情報とともにスピーカ位置情報として前記給電レール上に送信し、
前記表示情報生成手段は、前記配置情報記憶手段内の給電レール配置情報と前記位置情報受信手段が受信したスピーカ位置情報に基づいて前記給電レールの配置状態を示す配置図、前記配置図中に示される前記スピーカの位置及び角度を示す表示情報を生成する
ことを特徴とする請求項１乃至６のいずれかに記載のスピーカ管理システム。
【発明の詳細な説明】
【技術分野】
【０００１】
本発明は、給電レールに取り付けされるスピーカ装置を管理するための技術に関する。
【背景技術】
【０００２】
近年、電力線を用いてＰＬＣ（Power Line Communication）方式によりオーディオ信号を送信する技術が提案されている（例えば、特許文献１参照）。また、特許文献２では、照明レールに複数の照明器具を取り付け、アドレスデータを含む制御信号を各照明器具に送信することで、個別に調光制御を行う技術が提案されている。
【特許文献１】特開２００６−１０１１１９号公報
【特許文献２】特開平７−７３９７３号公報
【発明の開示】
【発明が解決しようとする課題】
【０００３】
ところで、従来、スピーカは、位置を固定して音楽を再生するものであり、そのレイアウト変更についてはほとんど考慮されていないのが現状である。そのため、スピーカのレイアウトを変更するためには、スピーカのそれぞれを利用者が所望する位置に移動させる必要があり、その作業は煩雑である。また、スピーカは、照明のように向きを考慮しなくてよい装置と異なり、スピーカは、どの組み合わせで、どの向きで、どこで聴取するなどを考慮する必要がある。そのため、スピーカをどの組み合わせでどの向きに設置するかといったことも、レイアウトを変更する度に利用者がその都度検討する必要があり、その作業は更に煩雑である。特許文献１に記載の技術では、複数のスピーカに供給するデータの遅延を補償することができるものの、スピーカのそれぞれの向き、位置及びその変更については利用者が自身で検討する必要がある。
本発明はこのような事情に鑑みてなされたものであり、スピーカのレイアウト変更を、従来と比較してより容易に行うことのできる技術を提供することを目的とする。
【課題を解決するための手段】
【０００４】
本発明の好適な態様であるスピーカ管理システムは、スピーカと、前記スピーカが設けられる本体と、電力を供給する給電レールに前記本体を移動可能に取り付ける取付部材と、識別情報を記憶する識別情報記憶手段と、前記給電レール上に送信された信号の中から前記識別情報記憶手段内の識別情報と一致する信号を有する信号を抽出して受信する受信手段と、前記給電レールに設けられた位置情報を読み取る位置情報読取手段と、前記位置情報読取手段が読み取った位置情報を前記スピーカを識別する情報とともにスピーカ位置情報として前記給電レール上に送信する送信手段と、前記受信手段が受信した信号が前記スピーカに供給すべき信号であった場合に、当該信号を前記スピーカに供給するスピーカ駆動手段とを有するスピーカ装置と、前記送信手段が送信したスピーカ位置情報を前記給電レールを介して受信する位置情報受信手段と、給電レールの配置位置を示す給電レール配置情報を記憶した配置情報記憶手段と、前記配置情報記憶手段内の給電レール配置情報と前記位置情報受信手段が受信したスピーカ位置情報に基づいて前記給電レールの配置状態を示す配置図および前記配置図中に示される前記スピーカの位置を示す表示情報を生成する表示情報生成手段と、前記表示情報生成手段が生成した表示情報を表示する表示手段とを具備することを特徴とする。
【０００５】
上述の態様において、スピーカへの供給対象となる複数の信号から、前記給電レール配置情報と前記スピーカ位置情報とに基づいて特定の信号を選択し、選択した信号を前記識別情報とともに前記給電レール上に送信するスピーカ駆動信号送信手段を具備してもよい。
また、上述の態様において、前記給電レールに取り付けられている前記スピーカ装置の数と位置を認識し、認識結果に応じて供給対象となる複数の信号から前記各スピーカに供給すべき信号を選択し、選択した信号を前記各スピーカの識別情報とともに前記給電レール上に送信するスピーカ駆動信号送信手段を具備してもよい。
また、上述の態様において、前記取付部材は、前記給電レールを走行可能な走行手段を有し、前記取付部材の走行位置を指示するための走行位置情報を、前記給電レールを介して送信する走行位置情報送信手段を備え、前記走行手段は、前記走行位置情報送信手段によって送信された走行位置情報を受信し、受信した走行位置情報に応じて前記給電レール上を走行してもよい。
【０００６】
また、上述の態様において、前記スピーカ装置の数と位置を示すテンプレート情報を複数記憶するテンプレート情報記憶手段を備え、前記走行位置情報送信手段は、前記テンプレート情報記憶手段に記憶されたテンプレート情報からいずれかを選択し、選択したテンプレート情報に応じた走行位置情報を送信してもよい。
また、上述の態様において、前記スピーカを識別する情報として前記識別情報を用いてもよい。
また、上述の態様において、前記送信手段は、前記位置情報読取手段が読み取った位置情報とスピーカの角度を示す角度情報とを前記スピーカを識別する情報とともにスピーカ位置情報として前記給電レール上に送信し、前記表示情報生成手段は、前記配置情報記憶手段内の給電レール配置情報と前記位置情報受信手段が受信したスピーカ位置情報に基づいて前記給電レールの配置状態を示す配置図、前記配置図中に示される前記スピーカの位置及び角度を示す表示情報を生成してもよい。
【発明の効果】
【０００７】
本発明によれば、スピーカのレイアウト変更を、従来と比較してより容易に行うことができる。
【発明を実施するための最良の形態】
【０００８】
＜Ａ：実施形態の構成＞
まず、図１を参照して、この発明に係るスピーカ管理システムについて説明する。図において、店舗１００，１００，…は、例えば飲食店や服飾店などであり、全国各地に開設されている。店舗１００，１００，…には、それぞれスピーカ装置１０，１０，…と、管理装置２０と、ＰＬＣ専用アダプタ３０とが設置されている。なお、図１においては、図面が煩雑になるのを防ぐため、ひとつの店舗１００についてのみスピーカ装置１０，１０，…、管理装置２０及びＰＬＣ専用アダプタ３０が図示されているが、他の店舗１００にも同様にスピーカ装置１０，１０，…、管理装置２０及びＰＬＣ専用アダプタ３０が設置されている。
【０００９】
ＰＬＣ専用アダプタ３０とスピーカ装置１０とは電力線１で接続されている。スピーカ装置１０は、供給されるオーディオ信号に応じて放音する機能を有する装置である。ＰＬＣ専用アダプタ３０は、電力線１を介してＰＬＣ（Power Line Communications）方式でデータを伝送するためのアダプタである。ＰＬＣ専用アダプタ３０と管理装置２０とは、インターネットや専用回線等のネットワーク３を介して通信可能に接続されており、管理装置２０は、ネットワーク３、ＰＬＣ専用アダプタ３０及び電力線１を介してスピーカ装置１０のそれぞれにオーディオ信号を供給する。ＰＬＣ専用アダプタ３０は、ネットワーク３を介して受信される信号を商用電力に重畳させることによって、電力線１を介してスピーカ装置１０に供給する。また、ＰＬＣ専用アダプタ３０は、電力線１を介して送信されてくる電力に重畳された信号を抽出し、この信号をネットワーク３を介して管理装置２０に送信する。なお、ＰＬＣ専用アダプタ３０が管理装置２０に内蔵されている構成であってもよい。
【００１０】
サーバ装置４０は、著作物たる楽曲の使用実績の管理及び使用料の算出を行う装置である。図１に示すように、サーバ装置４０と、管理装置２０とは、インターネットや専用回線等のネットワーク２を介して通信可能に接続されている。
【００１１】
図２は、管理装置２０の構成を示すブロック図である。管理装置２０は、ＣＤ（Compact Disk）等の記録媒体に記憶されたオーディオデータを、複数のスピーカ装置１０，１０，…のそれぞれへ出力することによって再生する機能を備える。この管理装置２０は、複数のオーディオ信号を並列処理（再生）可能である。また、管理装置２０は、ネットワーク２を介してオーディオデータを受信し、受信したオーディオデータをスピーカ装置１０へ出力することによって受信したオーディオデータを再生する機能を備える。
【００１２】
図２において、制御部２１は、ＣＰＵ（Central Processing Unit）やＲＯＭ（Read Only Memory）、ＲＡＭ（Random Access Memory）を備え、ＲＯＭ又は記憶部２２に記憶されているコンピュータプログラムを読み出して実行することにより、バスを介して管理装置２０の各部を制御する。記憶部２２は、制御部２１によって実行されるコンピュータやその実行時に使用されるデータを記憶するための記憶手段であり、例えばハードディスク装置である。記憶部２２は、図２に示すように、店舗１００内に設けられた給電レール（図３参照）の配置位置を示す給電レール配置位置情報を記憶する配置情報記憶領域２２１を有している。表示部２３は、液晶パネルなどを備え、制御部２１の制御の下で、管理装置２０を操作するためのメニュー画面等を表示する。操作部２４は、利用者による操作に応じた操作信号を制御部２１に出力する。通信部２５は、例えばモデム等を備える通信手段であり、サーバ装置４０との間でネットワーク２を介して通信を行うとともに、スピーカ装置１０との間でＰＬＣ専用アダプタ３０を介して通信を行う。読取部２６は、ＣＤ等の記録媒体からオーディオデータを読み出すデータ読出手段である。制御部２１は、読取部２６によって読み出されたオーディオデータや、記憶部２２に記憶されたオーディオデータを、ＰＬＣ専用アダプタ３０を介してスピーカ装置１０へ出力することによってオーディオデータを再生する。このとき、ＰＬＣ専用アダプタ３０は、管理装置２０から出力されるオーディオデータをＰＬＣ方式で、電力線１を介してスピーカ装置１０へ出力する。
【００１３】
次に、店舗１００内におけるスピーカ装置１０，１０，…の設置態様の一例について、図３を参照しつつ説明する。図３において、店舗１００は、売場Ｘ，売場Ｙ、などの複数の売場を備えており、各売場に１又は複数のスピーカ装置１０が設置されている。スピーカ装置１０，１０，…は、電力を供給する給電レール５０に取り付けられており、この給電レール５０から供給される電力によりスピーカ装置１０，１０，…の各部が駆動される。また、スピーカ装置１０のそれぞれにはＩＰアドレスが割り当てられている。スピーカ装置１０は、ＰＬＣ方式で供給されるオーディオデータを受信する機能を有しており、電力線１を介して受信されるオーディオデータに基づいて放音する。
【００１４】
図４は、スピーカ装置１０と給電レール５０の外観を示す斜視図である。スピーカ装置１０は、図４に示すように、スピーカ１５と、スピーカ１５が設けられる本体１６と、電力を供給する給電レール５０に本体１６を移動可能に取り付ける移動体６０（取付部材）とを有している。移動体６０は、図中の矢印ａ方向（ｘ軸方向に平行する軸線）に移動される。なお、この実施形態では、給電レール５０上を移動可能な移動体６０がスピーカ装置１０に内蔵されている構成について説明するが、スピーカ装置に移動体が内蔵されていてもよく、また、スピーカ装置本体と移動体とが別体となって構成され、スピーカ装置が移動体に外付けされるように構成されていてもよい。
【００１５】
次に、スピーカ装置１０の構成の一例について、図５を参照しつつ説明する。図５は、スピーカ装置１０の構成の一例を示すブロック図である。なお、スピーカ装置１０の各部には給電レール５０からの電力が供給されるが、図５においては、図面が煩雑になるのを防ぐため、給電ラインは省略している。図において、アドレス検出部１１は、電力線１を介して送信されてくる電力に重畳されたデータ（信号）を抽出し、抽出したデータの宛先アドレスを検出する。データバッファ１２は、電力線１を介して伝送されてくるデータを一時的に記憶するための記憶手段である。識別情報記憶部１７は、スピーカ装置１０を識別する識別情報（ＩＤ）を記憶する記憶手段である。なお、この実施形態では、スピーカ装置１０のＩＤとしてＩＰアドレスを用いるが、ＩＤとして用いられる識別情報はＩＰアドレスに限らず、スピーカ装置１０を識別するものであればどのようなものであってもよい。アドレス検出部１１は、給電レール５０上に送信された信号の中から識別情報記憶部１７内の識別情報と一致する信号を有する信号を抽出して受信する。また、アドレス検出部１１は、受信した信号がスピーカ１５に供給すべき信号であった場合に、その信号をデータバッファ１２を介してスピーカ１５に供給する。Ｄ／Ａ（Digital Analog）変換器１３は、データバッファ１２に格納されたデジタルデータを順次読み出してアナログ信号に変換して出力する。オーディオ信号再生部１４は、Ｄ／Ａ変換器１３から出力されるアナログ信号を増幅し、スピーカ１５に供給することによってスピーカ１５を駆動する。スピーカ１５は、オーディオ信号再生部１４から供給されるアナログ信号に応じて放音する放音手段である。
【００１６】
次に、サーバ装置４０の構成について、図６を参照しつつ説明する。図６は、サーバ装置４０の構成を示すブロック図である。図において、制御部４１は、ＣＰＵやＲＯＭ、ＲＡＭを備え、ＲＯＭ又は記憶部４２に記憶されているコンピュータプログラムを読み出して実行することにより、バスＢＵＳを介してサーバ装置４０の各部を制御する。記憶部４２は、制御部４１によって実行されるコンピュータプログラムやその実行時に使用されるデータを記憶するための記憶手段であり、例えばハードディスク装置である。表示部４３は、液晶パネルなどを備え、制御部４１の制御の下で、サーバ装置４０を操作するためのメニュー画面等を表示する。操作部４４は、利用者による操作に応じた操作信号を制御部４１に出力する。通信部４５は、例えばモデム等を備える通信手段であり、管理装置２０との間でネットワーク２を介して通信を行う。
【００１７】
＜Ｂ：動作例＞
次に、この実施形態の動作の一例について、図７に示すフローチャートを参照しつつ説明する。管理装置２０の管理者は、管理装置２０の操作部２４を操作して、店舗１００のレイアウト（店舗空間の形状等）を入力する操作を行う。操作部２４は、操作された内容に応じた操作信号を出力し、制御部２１は、操作部２４から出力される操作信号に応じて、店舗１００のレイアウト画像を表すレイアウト画像データを表示部２３に出力するとともに、レイアウト画像データを記憶部２２に記憶する。表示部２３は、制御部２１から供給されるレイアウト画像データに応じて、レイアウト画面を液晶パネル等に表示する。
図８（ａ）は、管理装置２０の表示部２３に表示される画面の一例である。
図において、表示部２３には、店舗１００の形状を示す画像１００Ａが表示される。
【００１８】
管理者は、図８（ａ）に例示される画面を参照しながら、操作部２４を操作して、店舗１００に設置された給電レール５０の位置や形状等を入力するための操作を行う。操作部２４は、操作された内容に応じた操作信号を出力し、制御部２１は、操作部２４から出力される操作信号に応じて、給電レール５０の配置位置を示す給電レール配置情報を配置情報記憶領域２２１に記憶するとともに、給電レール５０の配置位置を示す画像５０Ａ，５０Ａ，…を、表示部２３に表示させる。
図８（ｂ）は、表示部２３に表示される画面の一例を示す図である。図示のように、表示部２３には、給電レール５０の位置を示す画像５０Ａ，５０Ａ，…が表示される。
【００１９】
次に、管理者は、店舗１００内の給電レール５０上で、複数のスピーカ装置１０，１０，…を所望する位置に設置する。このとき、管理者は、スピーカ装置１０の向きも調節してもよい。
【００２０】
スピーカ装置１０，１０，…が給電レール５０上に設置され、スピーカ装置１０，１０，…の電源が投入されると、スピーカ装置１０は、自装置のＩＰアドレス（ＩＤ番号）を、電力線１を介して管理装置２０へ送信する。スピーカ装置１０，１０，…は、所定時間間隔で、自装置のＩＰアドレスを管理装置２０に送信し、管理装置２０から応答データを受信すると、ＩＰアドレスの送信をやめる。
【００２１】
管理装置２０の制御部２１は、電力線１を介して受信されるＩＰアドレスに応じて、稼動しているスピーカ装置１０を検出する（ステップＳ１）。次いで、制御部２１は、稼動中のスピーカ装置１０，１０，…を示す画像を表示部２３に表示する（ステップＳ２）。利用者は、操作部２４を用いて、スピーカ装置１０，１０，…の画像１０Ａ，１０Ａ，…のそれぞれを、対応するスピーカ装置１０の位置にドラッグする操作を行う。この操作により、スピーカ装置１０，１０，…のそれぞれの位置が入力される。操作部２４は操作される内容に応じた操作信号を出力し、制御部２１は、出力される操作信号に応じて、画像１０Ａ，１０Ａ，…の表示位置を移動させる。すなわち、制御部２１は、操作部２４から操作信号（位置情報）を取得し、取得した位置情報に応じて、スピーカ装置１０，１０，…の位置を表す画像データを生成する。
図８（ｃ）は、表示部２３に表示される画面の一例を示す図である。図示のように、スピーカ装置１０，１０，…を表す画像１０Ａ，１０Ａ，…が表示部２３に表示される。
【００２２】
スピーカ装置１０，１０，…の設置位置を登録すると、次いで、管理装置２０の利用者は、聴取者が楽音を聴取する位置（以下「聴取位置」という）と、使用するスピーカ装置１０，１０，…（以下「使用スピーカ装置１０」という）とを指定する操作を、操作部２４を用いて行う。操作部２４は、操作された内容に応じた操作信号を出力し、制御部２１は、操作部２４からの操作信号に応じて、聴取位置と使用スピーカ装置１０とを示す画像を表示部２３に表示する（ステップＳ３）。
図８（ｄ）は、表示部２３に表示される画面の一例を示す図である。図示のように、この画面には、聴取位置を示す画像Ｂと、使用スピーカ装置１０Ｂ，１０Ｂ，…を示す画像が表示される。
【００２３】
次いで、制御部２１は、配置情報記憶領域２２１に記憶された給電レール配置情報と操作部２４を介して入力されたスピーカ装置１０の位置情報とに基づいて、給電レール５０に取り付けられているスピーカ装置１０の数と位置を認識し、認識結果に応じて供給対象となる複数のオーディオ信号から各スピーカ装置１０に供給すべきオーディオ信号を選択することによって音場を計算する（ステップＳ４）。このとき、制御部２１は、給電レール配置情報と位置情報とに加えて、操作部２４を介して入力された聴取位置を示す聴取位置情報も用いて、各スピーカ装置１０に供給すべきオーディオ信号を選択してもよい。この実施形態では、制御部２１は、給電レール配置情報、スピーカ装置１０の位置情報及び聴取位置情報に基づいて、店舗１００における各使用スピーカ装置１０Ｂと聴取位置との相対的な位置関係を特定し、特定した位置関係に基づいて、各使用スピーカ装置１０Ｂにチャネル（センタスピーカ用チャネル、フロントスピーカ（Ｌ）用チャネル、…等）を割り当てる。次いで、制御部２１は、ステップＳ４の算出結果に基づいて、各スピーカ装置１０，１０，…に送出するオーディオ信号を形成する（ステップＳ５）。次いで、制御部２１は、選択したオーディオ信号を各スピーカ装置１０の識別情報（ＩＰアドレス）とともに給電レール５０上に送信する（ステップＳ６）。
【００２４】
なお、この実施形態では、給電レール５０に複数のスピーカ装置１０が取り付けられている場合について説明するが、給電レール５０に取り付けられるスピーカ装置１０の数は、複数であってもよく、また、１つであってもよい。１つのスピーカ装置１０が給電レール５０に取り付けられている場合には、制御部２１は、スピーカ装置１０への供給対象となる複数のオーディオ信号から、給電レール配置情報記憶領域２２１に記憶された給電レール配置情報と操作部２４を介して入力されたスピーカ位置情報とに基づいて特定の信号を選択し、選択した信号をＩＰアドレス（識別情報）とともに給電レール５０上に送信してもよい。
また、スピーカ装置１０に供給すべき複数のオーディオ信号は、チャネル毎のオーディオ信号に限らず、複数のオーディオ信号であればどのようなものであってもよい。
【００２５】
次に、管理装置２０から配信されたオーディオ信号を受信するスピーカ装置１０の動作について説明する。スピーカ装置１０は、給電レール５０によって供給される電力により、その各部が駆動される。スピーカ装置１０のアドレス検出部１１は、給電レール５０を介して伝送されてくるデータの宛先アドレスを検出し、宛先アドレスが自装置のアドレスであるデータを、データバッファ１２に供給する。すなわち、スピーカ装置１０は、管理装置２０から供給されるオーディオ信号を受信する。データバッファ１２は、ＦＩＦＯ方式で、管理装置２０から供給されるデータを所定量蓄積し、Ｄ／Ａ変換器１３に供給する。Ｄ／Ａ変換器１３は、供給されるデータをデジタルデータからアナログ信号に変換し、オーディオ信号再生部１４に供給する。オーディオ信号再生部１４は、オーディオ信号を所定量増幅させ、スピーカ１５に供給する。スピーカ１５は供給されるオーディオ信号に応じて放音する。これにより、スピーカ装置１０からは、管理装置２０から供給されるオーディオ信号に応じた音が放音される。
【００２６】
このように、この実施形態では、管理装置２０の制御部２１が、複数のスピーカ装置１０のそれぞれの位置を特定し、特定した位置を表す画像データを表示部２３に出力するから、これにより、利用者は、表示部２３に表示される画面を確認することで、スピーカ装置１０の配置を視認することができる。
【００２７】
＜Ｃ：変形例＞
以上、本発明の実施形態について説明したが、本発明は上述した実施形態に限定されることなく、他の様々な形態で実施可能である。以下にその一例を示す。なお、以下の各態様を適宜に組み合わせてもよい。
（１）上述した実施形態では、システムの利用者が、実測を行った後、管理装置２０の操作部２４を操作して、スピーカ装置１０の位置を管理装置２０に入力し、制御部２１は、操作部２４からの操作信号を位置情報として取得した。制御部２１が位置情報を取得する態様はこれに限らず、例えば、制御部２１が、スピーカ装置１０から送信される位置情報を、給電レール５０により供給される電力から取り出すようにしてもよい。この態様について、以下に説明する。
【００２８】
給電レール５０上には、位置を示す位置情報が複数設けられている。この位置情報は、具体的には、例えば、バーコードやＲＦＩＤタグ等であり、給電レール５０上の複数の位置に、所定間隔（例えば、１０ｍｍ毎）に設けられている。なお、位置情報は、バーコードやＲＦＩＤタグに限らず、位置情報が読み取り可能なものであればどのようなものであってもよい。
【００２９】
一方、スピーカ装置１０は、給電レール５０に設けられた位置情報を読み取る位置検出部と、位置検出部が読み取った位置情報を、スピーカを識別する情報とともにスピーカ位置情報として給電レール５０上に送信する送信部とを備えている。なお、このスピーカを識別する情報は、例えば、スピーカ装置１０のそれぞれに割り当てられたＩＰアドレスであってもよく、また、これに限らず、スピーカ装置１０を識別する情報であればどのようなものであってもよい。
【００３０】
次に、スピーカ装置１０の位置検出部の具体的な一例について、図９乃至図１２を参照しつつ以下に説明する。図９において、位置検出部９０は、移動体６０側に設けた受発光部９１と、給電レール５０側に設けたバーコード９２とからなる。バーコード９２は、それぞれ異なったコード情報を示すバーコード９２ａ，９２ｂ，…９２ｎとなり、図１０に示すように、このバーコードが受発光部９１と対向する給電レール５０の内側面に所定間隔毎に貼着される。本実施形態の場合には、給電端子５４の下側に配置される。
【００３１】
そして、位置検出部９０では、受発光部９１でバーコードを読取り、読み込んだバーコードの情報に基づき、移動体６０の給電レール５０における位置を検出する。このためには、バーコードの示す情報と給電レール５０における位置との対応関係を、管理装置２０の記憶部２２等に記憶しておけばよい。この位置検出部９０にあっては、所定間隔毎に貼着されたバーコード９２を受発光部９１で読み取ることによって、給電レール５０の伸長方向における移動体６０の位置を断続的に検出することになる。
【００３２】
位置検出手段の構成は、受発光部９１とバーコード９２の構成に限らず、種々の構成が可能である。以下、幾つかの例を列挙する。
（i）光学センサ
透過型センサ
図１１に示すように、発光部９３Ａと受光部９３Ｂとが互いに対向するように配置されたフォトインタラプタを検出部９３とし、この発光部９３Ａと受光部９３Ｂとの間に相対移動するシャッタ９４を配置する。ここで、移動体６０側に検出部を、給電レール５０にシャッタ９４を設けても、移動体６０側にシャッタ９４を、給電レール５０に検出部を設けても良く、要は位置検出手段において互いの相対移動が検出できればよい。
【００３３】
シャッタ９４の構成は、図１２（ａ），（ｂ），（ｃ）等が考えられる。
前述した位置検出部９０と同様に、予め定めた所定位置にある移動体６０の位置を検出したい場合には、図１２（ａ）に示すように、シャッタ９４Ａの伸長方向に対して所定間隔毎に挿通孔９４ａ，９４ａ，…を穿設する。この際、挿通孔９４ａの径寸法を漸次異なるように形成し、最大径の挿通孔９４ａよりも発光部９３Ａから発光する光の径（発光径）が大きくなるようにする。
また、図１２（ｂ）に示すように、シャッタ９４Ｂにスリット９４ｂを形成する。このスリット９４ｂはその幅寸法が、シャッタ９４Ｂの伸長方向一側から他側に向けて漸次小さくなるように形成し、最大幅の寸法よりも発光部９３Ａから発光する光の直径が大きくなるようにする。
さらに、図１２（ｃ）に示すように、シャッタ９４Ｃの外形を伸長方向一側から他側に向けて漸次傾斜する形状とし、シャッタ９４Ｃの最大幅の寸法よりも発光部から発光する光の直径が同じか或いは大きくなるようにする。
【００３４】
このように、図１２（ａ）のシャッタ９４Ａの構造にあっては、前述した位置検出部９０と同様に、給電レール５０の所定位置に移動体６０が有ることを検出することができる。
図１２（ｂ），（ｃ）のシャッタ９４Ｂ，９４Ｃの構造にあっては、管理装置２０の記憶部２２等に、受光部９３Ａからの受信信号の値に対する給電レール５０の位置を予め記憶しておき、受光部９３Ｂでの受信信号の大きさから移動体６０の給電レール５０に対する位置を演算によって検出することが可能となる。この場合には、先の位置検出部９０が断続的な位置検出となるのに対し、図１２（ｂ），（ｃ）に示すシャッタ構造の光学センサを用いることによって、連続的な受信信号が得られ、移動体６０の位置が連続的に検出される。
【００３５】
光学センサは、透過型センサに限らず反射型センサであってもよい。この場合、図１３に示すように、発光部９３Ｃと受光部９３Ｄとが一体となった検出部９３´と、発光部からの光を反射する反射板９４Ｄとを有する。この反射板９４Ｄの形を、反射板が貼着される部位の伸長方向に対して反射量が変化する形状に形成する。例えば、図１２（ｂ）のスリット形状或いは図１２（ｃ）のシャッタ形状のようにすればよい。さらに、断続的に移動体６０の位置を検出したい場合には、伸長方向の所定位置に反射量が異なる反射板を貼着し、連続的に移動体６０の位置を検出したい場合には、伸長方向に対して漸次反射量が変化するような形状の反射板を貼着すればよい。
【００３６】
（ii）磁気センサ
磁気センサを用いて位置検出部としてもよい。この場合、検出部には半導体ホール素子、半導体磁気抵抗素子等を用い、被検出部を磁性材料の部位に施された着磁部位とする。被検出部となる着磁部位は、所定間隔毎に着磁させ、その着磁部位における磁場を異なるようにする。これにより、検出部からの検出信号に基づき、給電レール５０の伸長方向における移動体６０の位置を断続的に検出する。また、着磁部位は、所定間隔毎に形成するのではなく、磁場が伸長方向に対して漸次変化するように着磁させることにより、検出部からは着磁部位の磁場を連続的に検出でき、給電レール５０の伸長方向における移動体６０の位置を連続的に検出する。
【００３７】
（iii）その他のセンサ
位置検出手段の構成は、上記バーコード、光学センサ、磁気センサ等に限らず、給電レール５０の伸長方向に対する移動体６０の位置を相対的に検出するものであれば、これらに限定されるものではない。前記例では、センサ１個に対してシャッタ等の被検出部を変化させる場合について述べたが、逆に、発光部と受光部とを有する検出部を、給電レール５０の伸長方向の所定位置毎に対向するように設け、移動体によって発光部からの光が遮蔽された部分に移動体６０があるとして位置を検出するようにしてもよい。
【００３８】
次に、この変形例における動作の一例について以下に説明する。給電レール５０上にスピーカ装置１０が設置されると、スピーカ装置１０の位置検出部は、設置された位置に最近する位置情報を読み取り、読み取った位置情報をスピーカ装置１０のＩＤとともにスピーカ位置情報として給電レール５０上に送信する。管理装置２０の制御部２１は、スピーカ装置１０によって送信されたスピーカ位置情報を給電レール５０を介して受信し、受信したスピーカ位置情報を記憶部２２の配置管理テーブルに記憶する。そして、制御部２１は、配置情報記憶領域内の給電レール配置情報と受信したスピーカ位置情報に基づいて給電レール５０の配置状態を示す配置図およびこの配置図中に示されるスピーカ装置１０の位置を示す表示情報を生成し、生成した表示情報を表示部２３に出力する。表示部２３は、制御部２１から供給される表示情報に基づいて、給電レール５０の配置状態を示す配置図とこの配置図中に示されるスピーカ装置１０の位置を示す画像を表示する。これにより、表示部２３には、スピーカ装置１０のレイアウトを示す画像が表示される。利用者は、表示部２３に表示される画面をみることで、スピーカ装置１０のレイアウトを確認することができる。
【００３９】
この態様によれば、利用者が、スピーカ装置１０を給電レール５０上で移動させるだけで、それぞれのスピーカ装置１０に配信すべきチャネル種別を制御部２１が算出する。
この態様によれば、制御部２１が、スピーカ装置１０から供給される制御信号（ＩＰアドレスと位置情報との対）に基づいて、それぞれのスピーカ装置１０の位置を特定するから、利用者が操作部２４を操作することなく、スピーカ装置１０の位置を表すレイアウト画像を表示部２３に表示させる。これにより、利用者は、操作部２４を操作してスピーカ装置１０の位置を入力する必要がなく、スピーカ装置１０のレイアウトを、従来と比較してより容易に認識することができる。また、この場合、スピーカ装置１０のレイアウトを変更した場合であっても、管理装置２０が自動的にスピーカ装置１０の位置を特定して表示するから、操作部を用いてスピーカ装置１０のそれぞれの位置を入力するといった煩雑な作業を利用者が行う必要がない。
【００４０】
（２）上述した実施形態では、制御部２１は、スピーカ装置の位置を表す画像データを生成し、表示部２３に出力したが、制御部２１が、スピーカの位置と角度とを表す画像データを生成して表示部２３に出力してもよい。この場合は、具体的には、例えば、利用者が、操作部２４を用いて、スピーカ装置１０の位置と角度とを入力するための操作を行い、制御部２１は、操作部２４からの操作信号（位置情報）に基づいて、スピーカ装置１０の位置を示すとともにスピーカ装置１０の角度を示す画像データ（図８（ｃ）の画像１０Ｃ参照）を生成する。
【００４１】
また、スピーカ装置１０が、読み取った位置情報とスピーカ装置１０の角度を示す角度情報をスピーカを識別する情報とともにスピーカ位置情報として給電レール５０上に送信し、管理装置２０の制御部２１が、配置情報記憶領域２２１内の給電レール配置情報とスピーカ装置１０から受信したスピーカ位置情報に基づいて給電レールの配置状態を示す配置図、この配置図中に示されるスピーカ装置１０の位置及び角度を示す表示情報を生成するようにしてもよい。
ここで、スピーカ装置１０の角度を検出する回動角度検出手段の構成の一例について、図９、図１４及び図１５を参照しつつ以下に説明する。回動角度検出手段は、図９中の９５部分等、固定部分となる部位と回動筒部７１とに設ける。構成は一般的なロータリエンコーダであっても、前述した位置検出手段とほぼ同様の構成であってもよく、例えば、図１４および図１５に示すような構成であってもよい。
この場合、回動筒部７１側にシャッタ９７を形成し、このシャッタ９７に所定角度毎に径の異なった挿通孔９７ａを穿設し、このシャッタ９７を挟むように発光部９６Ａと受光部９６Ｂとを有する検出部９６を配置する。検出動作においては、前述した位置検出部の透過型センサと同様となるので、その説明は省略する。
シャッタ９７には挿通孔９７ａだけでなく、シャッタ等でもよいことは勿論である。
【００４２】
次に、固定部７８に対して揺動する揺動部８５の傾斜角度（以下、「仰角」という）を検出する。図９中の９８部分に設けられる。前述した検出手段と同様に、光学センサによって検出部を構成するため、その説明を省略する。
或いは、第３モータＭ３によって駆動される第３駆動ローラ８２の駆動時間を監視して仰角を算出することによって検出手段としてもよい。
【００４３】
（３）上述した実施形態では、システムの利用者がスピーカ装置１０を給電レール５０上で移動させた。これに代えて、移動体６０に給電レール５０上を走行可能な走行手段を設ける構成とし、管理装置２０の制御部２１が、移動体６０の走行位置を指示するための走行位置情報を、給電レール５０を介して送信するようにしてもよい。この場合は、移動体６０は、管理装置２０によって送信された走行位置情報を受信し、受信した走行位置情報に応じて給電レール５０上を走行する。この態様について、図４、図９、図１６乃至図１８を参照しつつ以下に詳細に説明する。
【００４４】
スピーカ装置１０は、図４に示すように、移動体６０（移動機構）に取り付けられている。そして、移動体６０は、内蔵したモータＭ１の駆動により移動体６０を矢印ａ方向（ｘ軸方向に平行する軸線）に移動させ、モータＭ２の駆動によりスピーカ装置１０をｙ軸に平行する軸線ｂ１を回動中心として矢印ｂ方向に回動させ、モータＭ３の駆動によりスピーカ装置１０をｚ軸に平行する軸線ｃ１を揺動中心（図９および図１６参照）として矢印ｃ方向に揺動させる。
【００４５】
この給電レール５０は、図９および図１６に示すように、その外形は下側に開口する断面略「コ」字状に形成されてｘ軸方向に伸長する。開口部には折り返し部が伸長方向に延びるように形成され、この各折り返し部には後述する凸部６４が挿嵌される凹部５２が伸長方向に形成される。給電レール５０の上面には、その内面側に移動体６０の第１駆動ローラ６２がガイドされるローラガイド溝５３が、当該給電レール５０の伸長方向に形成される。また、給電レール５０の側面には、その各内面側に板状の給電端子５４，５４が前記伸長方向に貼着される。この給電端子５４には、外部の商用電源（図示せず）に接続されるために、給電線５５を介してプラグ５６が接続されている。
【００４６】
移動体６０は、給電レール５０内をｘ軸方向に摺動しつつ移動する長方形の摺動部６１と、給電レール５０から突出し、ｙ軸に平行な軸線ｂ１を回動中心として回動する回動部７０と、ｚ軸に平行する軸線ｃ１を旋回中心として揺動する揺動部８５とを有する。
【００４７】
摺動部６１の上面には、第１モータＭ１によって駆動される第１駆動ローラ６２周面の一部が突出するように設けられる。この第１駆動ローラ６２は、図１７に示すように、ゴム材料等の弾性材料によって円柱状に形成され、外周の一部に第１モータＭ１の軸に固定された伝達ローラ６３が付勢された状態で接触する。第１モータＭ１を駆動させることによって発生する軸の回転は、伝達ローラ６３を介して第１駆動ローラ６２に伝達される。第１駆動ローラ６２は、移動体６０が給電レール５０に組み込まれた際、給電レール５０のローラガイド溝５３内に案内される。第１モータＭ１を正／逆に駆動させることによって、移動体６０が、給電レール５０の矢印ａ方向に対して前後に移動する（図１８参照）。なお、第１駆動ローラ６２の軸近傍にはローラガイド溝５３（給電レール５０）側に当該第１駆動ローラ６２を積極的に付勢させるバネ機構６２Ａ，６２Ａを設けられる。
【００４８】
一方、摺動部６１の下面には、給電レール５０の凹部５２に挿入される凸部６４，６４が形成される。給電レール５０に移動体６０の摺動部６１が挿入された段階で、凸部６４，６４が凹部５２，５２にそれぞれ位置決めされ、給電レール５０に対して移動体６０のｙ軸方向への位置決めを図っている。この各凸部６４間には環状の突出部が形成され、その外周には雄ねじ部６５が刻設されている。また、突出部からは第２モータＭ２によって駆動される第２駆動ローラ６８が、この突出部の内周側の偏って位置から突出するように設けられる。
【００４９】
また、摺動部６１の各側面には、給電レール５０の各給電端子５４に電気的に接触する受電端子６６が設けられ、この受電端子６６は、挿入穴６６Ａ内に収容された端子部６６Ｂと、この端子部６６Ｂを外側に付勢するバネ部６６Ｃとを有する。そして、給電端子５４および受電端子６６によって本発明による給電手段を構成する。
さらに、摺動部６１内には、後述するＰＬＣアダプタおよびコントローラ等の電子素子を実装した基板６７が内蔵される。
【００５０】
回動部７０は、図１６に示すように、円筒状の回動筒部７１と、この回動筒部７１を摺動部６１に回動可能に支持する支持環７５と、前記回動筒部７１に揺動部８５を揺動可能に支持する固定部７８とを具備する。
この回動筒部７１は、開口部の一側には縮径部７２が形成され、他側の内周面には雌ねじ部７３が形成され、この雌ねじ部７３の一側には環状部７４が形成されている。
支持環７５は段付筒状に形成され、小径部の内周には雌ねじ部７６が刻設され、大径部が鍔部７７となる。そして、回動筒部７１を摺動部６１に取り付ける際には、回動筒部７１内に支持環７５を挿通させ、支持環７５の雌ねじ部７６を摺動部６１の雄ねじ部６５に螺合させる。これにより、支持環７５の鍔部７７が回動筒部７１の縮径部７２に当接した状態となり、回動筒部７１を摺動部６１に対して回動可能に支持する。さらに、図１８に示すように、第２駆動ローラ６８が回動筒部７１の環状部７４に当接し、第２モータＭ２を駆動させて第２駆動ローラ６８を正／逆方向に回転させることにより、回動筒部７１を正／逆方向に回動させる。
【００５１】
固定部７８は円柱状に形成され、その外周面には雄ねじ部７９が形成され、一側端面には一対のステー８０，８０が突出した状態で形成され、各ステー８０の先端側には揺動部８５を支持する軸８１が設けられる。各ステー８０間には第３モータＭ３によって駆動される第３駆動ローラ８２が配置される。そして、この固定部７８は、雄ねじ部７９を回動筒部７１の雌ねじ部７３に螺合させることによって、回動筒部７１と共に回動するように固定される。
【００５２】
揺動部８５には、その先端面にスピーカ１５等の電気機器を取り付けるブラケット（図示せず）が形成され、起端面には円弧状の当接面８６が形成される。そして、揺動部８５は、固定部７８の各ステー８０に軸８１で支持されることにより、回動筒部７１（固定部７８）に対して揺動可能に支持される。この際、円弧状の当接面８６が第３ローラ８２に当接し、第３モータＭ３を駆動させて第３駆動ローラ８２を正／逆方向に回転させることにより、揺動部８５を正／逆方向（図９中、矢印＋ｃ，−ｃ）に揺動させる。
【００５３】
この態様の動作の一例について以下に説明する。システムの利用者は、管理装置２０の操作部２４を操作して、スピーカ装置１０の位置を変更するための走行位置情報を入力する操作を行う。操作部２４は、操作された内容に応じた操作信号（走行位置情報）を出力し、制御部２１は、操作部２４から走行位置情報を取得する。なお、制御部２１が走行位置情報を取得する態様はこれに限らず、例えば、他のコンピュータ装置から通信ネットワークを介して送信される走行位置情報を受信することによって取得するようにしてもよく、制御部２１が走行位置情報を取得するものであればよい。
【００５４】
制御部２１は、取得した走行位置情報の示す位置を表す画像データを生成し、表示部２３に出力するとともに、取得した走行位置情報を、給電レール５０を介してスピーカ装置１０へ送信する。スピーカ装置１０の移動体６０は、管理装置２０から送信された走行位置情報を受信し、受信した走行位置情報の示す位置へスピーカ装置１０を移動させる。
この態様によれば、移動体６０がスピーカ装置１０の位置を移動させるから、利用者がスピーカ装置１０を移動させる必要がなく、また、移動された場合に制御部２１が自動的にレイアウト画像を表示部２３に表示させるから、利用者はスピーカ装置１０のレイアウト変更やレイアウト確認を容易に行うことができる。
【００５５】
なお、制御部２１が取得する走行位置情報は、スピーカ装置１０の走行位置と角度とを変更するための情報であってもよい。この場合は、スピーカ装置１０の移動機構は、管理装置２０から走行位置情報を受信すると、受信した走行位置情報の示す位置へスピーカ装置１０を移動するとともに、受信した走行位置情報の示す角度にスピーカ装置１０の角度を変更する。
【００５６】
また、制御部２１が取得する走行位置情報は、スピーカ装置１０の走行速度を示す情報であってもよい。この場合は、スピーカ装置１０の移動体６０は、管理装置２０から走行位置情報を受信すると、受信した走行位置情報の示す速度で給電レール５０上を移動する。
【００５７】
（４）上述の変形例（３）において、スピーカ装置１０の数と位置を示すテンプレート情報を複数記憶し、記憶されたテンプレート情報からいずれかを選択し、選択したテンプレート情報に応じた走行位置情報をスピーカ装置１０に送信するようにしてもよい。この具体例について、以下に説明する。
この変形例において、管理装置２０の記憶部２２には、スピーカ装置１０の数と位置を示すテンプレート情報が複数記憶されている。図１９は、テンプレート情報が記憶されるテーブルの内容の一例を示す図である。図示のように、このテーブルは、「モード種別」と「テンプレート情報」との各項目が互いに関連付けて構成されている。これらの項目のうち、「モード種別」の項目には、例えば、「コンサートモード１」、「教会モード」、「シアターモード」といったような、モード種別を示す種別情報が記憶される。「テンプレート情報」の項目には、そのモードにおけるスピーカ装置１０の数と位置を示すテンプレート情報が記憶される。
【００５８】
次に、この変形例における動作の一例について説明する。利用者は、まず、操作部２４を用いて、モードを選択する操作を行う。操作部２４は、操作された内容に応じた操作信号を出力し、制御部２１は、操作部２４からの操作信号に応じて、モードを選択する。なお、制御部２１がモードを選択する態様はこれに限らず、例えば、通信ネットワークを介して接続された他のコンピュータ装置からモード種別を示す情報を受信し、受信した情報に基づいてモードを選択するようにしてもよい。また、モードと時刻との対応関係を示すテーブルを記憶部２２に予め記憶させておき、制御部２１が、その時刻に対応するモードをこのテーブルを参照して選択するようにしてもよく、制御部２１がモードを選択するものであればどのようなものであってもよい。
【００５９】
制御部２１は、モードを選択すると、選択したモードに対応するテンプレート情報を記憶部２２から読み出し、読み出したテンプレート情報に基づいて、スピーカ装置１０，１０，…のそれぞれに、そのスピーカ装置１０の位置を示す走行位置情報を、給電レール５０を介して送信する。
【００６０】
スピーカ装置１０のそれぞれの移動機構は、管理装置２０から走行位置情報を受信すると、受信した走行位置情報に基づいてスピーカ装置１０を移動する。これにより、店舗１００に設置されたスピーカ装置１０が、それぞれのモードに応じた位置に移動される。
このように、この変形例では、利用者が操作部２４を操作してモードを選択するだけで、そのモードに適した位置にスピーカ装置１０が移動される。
【００６１】
（５）上述した実施形態において、スピーカ装置１０の位置を表示部２３に表示する際に、スピーカ装置１０のそれぞれに供給されるオーディオ信号を示すテキスト画像を表示してもよい。具体的には、例えば、図２０に示すように、制御部２１は、それぞれのスピーカ装置１０に配信するオーディオ信号の楽曲名とチャネルの種別とを示すテキスト画像Ｔ１を表示する。このようにすれば、システムの利用者は、どのスピーカ装置１０にどの種類のオーディオ信号が供給されているかを、表示部２３に表示される画面によって視認することができる。
【００６２】
このとき、制御部２１が、図２０に示すように、それぞれのスピーカ装置１０で放音されている音量（図２０の画像Ｖ１，Ｖ２，Ｖ３参照）を示す画像を表示してもよい。このようにすれば、システムの利用者は、それぞれのスピーカ装置１０から放音されている音の種類や音量を、表示部２３に表示される画面によって視認することができる。
【００６３】
また、このとき、それぞれのスピーカ装置１０で放音されるオーディオ信号の種類や音量を、利用者が操作部２４を操作して変更できるようにしてもよい。具体的には、例えば、図２０に例示するように、オーディオ信号の種類や音量を変更するためのボタンＢ１，Ｂ２を表示部２３の画面に表示し、利用者が、操作部２４を用いてそのボタンをＢ１，Ｂ２等を操作する等によって、各スピーカ装置１０に供給するオーディオ信号の種類や音量を、変更する。操作部２４は操作された内容に応じた操作信号を制御部２１に出力し、制御部２１は、操作部２４から供給される操作信号に応じて、スピーカ装置１０の音量を示す画像等の、スピーカ装置１０に供給するオーディオ信号を表す画像を変更する。また、制御部２１は、表示部２３に表示される画像を変更するに加えて、スピーカ装置１０に供給するオーディオ信号が、操作信号に応じた種別及び音量となるように制御する。
【００６４】
このように、この態様では、利用者は、表示部２３に表示される画面をみることで、自身が設定した聴取スペースにどのような音場が形成されているかを視認することができ、更に、画面を参照しながら音場を変更することができる。このように、この実施形態によれば、利用者は、店舗１００内の音場を自由にデザインすることができる。
【００６５】
また、更に、上記実施形態において、スピーカ装置１０のそれぞれに供給されるオーディオ信号のリストを表示してもよい。具体的には、例えば、図２１に例示するように、時刻とその時刻で配信するオーディオ信号との対応関係を示すリスト画像Ｌ１を表示部２３に表示してもよい。
この態様によれば、利用者は、表示部２３に表示される画面を確認することで、どのスピーカ装置１０にどのオーディオ信号を供給するかを視認することができる。
【００６６】
（６）上述した実施形態では、スピーカ装置１０のそれぞれにチャネルを割り当てたが、必ずしもチャネルをスピーカ装置１０に割り当てる必要はない。具体的には、例えば、１つのチャネルで構成されるオーディオ信号を配信する場合には、複数のスピーカ装置１０に、同一のオーディオ信号を配信してもよい。なお、この場合は、放音される音量を、スピーカ装置１０のそれぞれで異ならせてもよい。
【００６７】
（７）上述した実施形態では、制御部２１が、スピーカ装置１０の位置に基づいて各スピーカ装置に供給するオーディオ信号を選択した（音場を計算した）が、必ずしも音場を計算する必要はなく、音場を計算しないようにしてもよい。
【００６８】
（８）上述の実施形態では、給電レール５０にスピーカ装置１０を取り付け、スピーカ装置１０の位置を管理装置２０の表示部２３に表示した。給電レール５０に取り付けられる装置は、スピーカ装置に限らず、例えば、照明装置や、撮影装置、ミラーボールなど、どのような装置であってもよい。要するに、給電レール５０に取り付けられる装置は、電力を供給する給電レールに移動可能に取り付けられ、給電レールから供給される電力により駆動される装置であればよい。管理装置は、給電レール上における装置の位置を特定し、特定した位置を表す画像データを生成し、生成した画像データを表示部２３に出力する。
【００６９】
（９）上述した実施形態では、店舗１００のレイアウトを利用者が操作部２４を操作して入力した。これに代えて、管理装置２０が、給電レール５０上に取り付けられた撮影装置の位置を特定し、撮影装置から出力される撮影信号を受信し、受信された撮影信号と特定された位置とに基づいて、給電レールが設置された空間のレイアウトを算出し、算出したレイアウトを示す画像データを生成するようにしてもよい。このようにすれば、自動的に、店舗１００のレイアウトを特定することができる。
【００７０】
（１０）上述の態様において、管理装置２０の制御部２１が、スピーカ装置１０のそれぞれの位置情報に基づいて、各スピーカ装置１０のそれぞれに配信するオーディオ信号の種別を特定してもよい。
この態様によれば、利用者は、表示部２３に表示される画面を確認することで、どのスピーカ装置１０にどのオーディオ信号を供給しているかを容易に認識することができる。
【００７１】
また、このとき、スピーカ装置１０が、自装置の向きを検出し、検出した向きを示す方向情報を制御信号に含めて管理装置２０に送信するようにしてもよい。この場合は、管理装置２０の制御部２１は、受信した制御信号の示すスピーカ装置１０の位置と向きとに基づいて、音場を計算する。
【００７２】
（１１）上述した実施形態では、店舗１００内に複数のスピーカ装置１０を設置し、管理装置２０が、その店舗１００内のスピーカ装置１０にオーディオ信号を供給したが、オーディオデータの再生（楽曲の放音）は、店舗１００内の閉じた空間で行われてもよく、また、ネットワーク２等を介して他の場所で行われてもよい。ネットワークを介在してオーディオ信号の配信を行う場合であっても、上述した実施形態と同様に、スピーカ装置１０のそれぞれに割り当てられたＩＰアドレスを用いて、オーディオデータを配信すればよい。
【００７３】
（１２）上述した実施形態において、サーバ装置４０及び管理装置２０の少なくともいずれか一方が、楽曲の照合処理を行うようにしてもよい。例えば管理装置２０が楽曲の照合を行う場合には、管理装置２０は、スピーカ装置１０に供給するオーディオ信号に基づいて楽曲の照合処理を行う。具体的には、例えば、楽曲の所定部分（例えば、冒頭１０秒部分、等）の楽音波形を、楽曲の所定部分の楽音波形が複数記憶された検索用データベースを用いて照合し、一致する楽音波形の曲名を読み出すことによって楽曲を照合する。
加えて、管理装置２０は、曲を識別する識別情報に基づいて楽曲の使用料を算出するようにしてもよい。
【００７４】
また、スピーカ装置１０が、楽曲の照合処理を行うようにしてもよい。この場合は、スピーカ装置１０に、楽曲の照合処理を行う照合手段（例えば、ＣＰＵにより実現される）を設ける構成とし、放音する楽曲の照合処理をこの照合手段が行い、照合結果をサーバ装置４０及び管理装置２０の少なくともいずれか一方に送信すればよい。
【００７５】
（１３）上述した実施形態において、サーバ装置４０及び管理装置２０の少なくともいずれか一方が、管理テーブルに記憶された管理情報に基づいて、オーディオデータに対する使用料を算出してもよい。具体的には、例えば、サーバ装置４０は、予め定められた日時（例えば、月末、週末、等）になったことを検知すると、配信管理テーブルに記憶された管理情報に基づいて、コンテンツに対する使用料を算出する。管理装置２０は、算出した使用料を示すデータを、所定のコンピュータ装置等へ出力する。コンピュータ装置の管理者は、管理装置２０から送信されてくる使用料情報を確認することで、コンテンツの使用料を確認することができる。
この態様によれば、サーバ装置４０が使用料の算出処理を行うから、システムの利用者は、コンテンツの使用料をそれぞれ算出する必要がなく、煩雑な作業を行う必要がない。
【００７６】
（１４）上述した実施形態において、サーバ装置４０の制御部４１が、再生された回数を楽曲毎に集計し、集計結果を示すデータを出力してもよい。具体的には、例えば、集計結果を示すデータを、その楽曲の作成者に対して、電子メールなどによって送信することによって、その楽曲の作成者に報知してもよい。この態様によれば、楽曲の作成者は、楽曲の再生回数を把握することができ、これにより、自身が作成した楽曲の人気の程度を把握することができる。
【００７７】
（１５）上述した実施形態では、ＩＰプロトコルを用いてオーディオデータをスピーカ装置１０に伝送したが、用いられるプロトコルはＩＰプロトコルに限らず、専用のプロトコルであってもよく、オーディオ信号を伝送可能なプロトコルであればどのようなものであってもよい。
【００７８】
（１６）なお、サーバ装置４０の制御部４１が行う楽曲の使用料の算出処理については、チャネル単位でオーディオ信号を配信する場合には、チャネル単位で使用料を算出してもよく、また、複数のチャネルで構成される楽曲単位で使用料を算出してもよい。また、同一のコンテンツを配信する複数のスピーカ装置１０をスピーカ群として、スピーカ群単位で課金する構成としてもよい。また、課金の態様が異なるテーブルを複数設ける構成とし、複数の課金体系からいずれかを選択して課金処理を行う構成としてもよい。
また、サーバ装置４０が、コンテンツの送信実績やコンテンツの使用料を、顧客毎に集計してもよい。
【００７９】
（１７）上述した実施形態では、管理装置２０とサーバ装置４０とがネットワーク２を介して接続されたシステムについて説明した。これに対し、上記実施形態に係る管理装置２０とサーバ装置４０とが一体となって構成された装置が、上記実施形態に係る楽曲再生管理システムを実現する構成としてもよい。また、例えば、通信ネットワークで接続された複数の装置が上記実施形態に係る楽曲再生管理システムを実現してもよい。
【００８０】
（１８）上述した管理装置２０の制御部２１又はサーバ装置４０の制御部４１によって実行されるプログラムは、磁気テープ、磁気ディスク、フレキシブルディスク、光記録媒体、光磁気記録媒体、ＲＡＭ、ＲＯＭ等の記録媒体に記録した状態で提供し得る。また、インターネットのようなネットワーク経由で管理装置又はサーバ装置４０にダウンロードさせることも可能である。
【図面の簡単な説明】
【００８１】
【図１】システムの構成の一例を示すブロック図である。
【図２】管理装置２０の構成を示すブロック図である。
【図３】店舗１００におけるスピーカ装置１０の設置の態様の一例を示す図である。
【図４】スピーカ装置１０と給電レール５０の概観の一例を示す図である。
【図５】スピーカ装置１０の構成の一例を示す図である。
【図６】サーバ装置４０の構成の一例を示す図である。
【図７】管理装置２０の制御部２１が行う処理の流れを示すフローチャートである。
【図８】表示部２３に表示される画面の一例を示す図である。
【図９】スピーカ装置１０の構成の一例を示す図である。
【図１０】給電レール５０に貼着されたバーコードの一例を示す図である。
【図１１】光学センサの構成の一例を示す図である。
【図１２】シャッタの構成の一例を示す図である。
【図１３】光学センサの構成の一例を示す図である。
【図１４】回動角度検出手段の構成の一例を示す図である。
【図１５】回動角度検出手段の構成の一例を示す図である。
【図１６】移動体６０の構成の一例を示す図である。
【図１７】駆動ローラの構成の一例を示す図である。
【図１８】駆動ローラの構成の一例を示す図である。
【図１９】配置態様情報が記憶されるテーブルの内容の一例を示す図である。
【図２０】表示部２３に表示される画面の一例を示す図である。
【図２１】表示部２３に表示される画面の一例を示す図である。
【符号の説明】
【００８２】
１…電力線、２，３…ネットワーク、１０…スピーカ装置、１１…アドレス検出部、１２…データバッファ、１３…Ｄ／Ａ変換器、１４…オーディオ信号再生部、１５…スピーカ、２０…管理装置、２１…制御部、２２…記憶部、２３…表示部、２４…操作部、２５…通信部、２６…読取部、３０…ＰＬＣ専用アダプタ、４０…サーバ装置、４１…制御部、４２…記憶部、４３…表示部、４４…操作部、４５…通信部、５０…給電レール、５２…凹部、５３…ローラガイド溝、５４…給電端子、５５…給電線、５６…プラグ、６０…移動体、６１…摺動部、６２…第１駆動ローラ、６３…伝達ローラ、６４…凸部、６５…雄ねじ部、６６…受電端子、６７…基板、７０…回動部、７１…回動筒部、７２…縮径部、７３…雌ねじ部７３、７４…環状部、７５…支持環、７６…雌ねじ部、７７…鍔部、７８…固定部、７９…雄ねじ部、８０…ステー、８１…軸、８５…揺動部、８６…当接面、９０…位置検出部、９１…受発光部、９２…バーコード、９３…検出部、９４…シャッタ、９６…検出部、９７…シャッタ、１００…店舗。
【図１】
2008236061.tif 000003
【図２】
2008236061.tif 000004
【図３】
2008236061.tif 000005
【図４】
2008236061.tif 000006
【図５】
2008236061.tif 000007
【図６】
2008236061.tif 000008
【図７】
2008236061.tif 000009
【図８】
2008236061.tif 000010
【図９】
2008236061.tif 000011
【図１０】
2008236061.tif 000012
【図１１】
2008236061.tif 000013
【図１２】
2008236061.tif 000014
【図１３】
2008236061.tif 000015
【図１４】
2008236061.tif 000016
【図１５】
2008236061.tif 000017
【図１６】
2008236061.tif 000018
【図１７】
2008236061.tif 000019
【図１８】
2008236061.tif 000020
【図１９】
2008236061.tif 000021
【図２０】
2008236061.tif 000022
【図２１】
2008236061.tif 000023